(57)【要約】【課題】本発明の目的は、検査のために採取した血液や尿などの検体を入れた容器から別の容器に前記検体を分注する分注処理装置に係り、分注処理途中の分注ヘッドにノズルチップが装着したまま待機している時間を計測し、一定時間によりノズルヘッドを自動で廃棄することにより、検体滴下による分注装置内の汚染及び検体の乾燥濃縮、固着による吸引異常を防止する分注処理装置を提供することにある。【解決手段】本発明は、吸引した検体を分注する分注機と、前記分注機に設けられる分注ヘッドと、前記分注ヘッドに着脱自在に装着される使い捨てのノズルチップを有し、前記ノズルチップに吸い込んだ検体の子検体容器への分注が子検体容器を交換しながら行なわれる検体分注処理装置において、前記子検体容器に検体の分注ができない分注停止時間が一定時間経過したら前記ノズルチップを前記分注ヘッドから離脱することを特徴とする。【選択図】図３
2008164456.tif 000002
【特許請求の範囲】
【請求項１】
吸引した検体を分注する分注機と、
前記分注機に設けられる分注ヘッドと、
前記分注ヘッドに着脱自在に装着される使い捨てのノズルチップを有し、
前記ノズルチップに吸い込んだ検体の子検体容器への分注が子検体容器を交換しながら行なわれる検体分注処理装置において、
前記子検体容器に検体の分注ができない分注停止時間が一定時間経過したら前記ノズルチップを前記分注ヘッドから離脱することを特徴とする検体分注処理装置。
【請求項２】
検体が入る親検体容器と、
吸引した検体を分注する分注機と、
前記分注機に設けられる分注ヘッドと、
前記分注ヘッドに着脱自在に装着される使い捨てのノズルチップを有し、
前記親検体容器より前記ノズルチップに吸い込んだ検体の子検体容器への分注が子検体容器を交換しながら行なわれる検体分注処理装置において、
前記子検体容器に検体の分注ができない分注停止時間が一定時間経過した後に前記ノズルチップに残る検体を前記親検体容器に戻してから前記分注ヘッドより前記ノズルチップを離脱することを特徴とする検体分注処理装置。
【請求項３】
請求項１または２記載の検体分注処理装置において、
前記分注ヘッドには、分注処理が再開される前に新しいノズルチップが装着されることを特徴とする検体分注処理装置。
【請求項４】
請求項１または２記載の検体分注処理装置において、
前記一定時間は変更可能であることを特徴とする検体分注処理装置。
【請求項５】
吸引した検体を分注する分注機と、
前記分注機に設けられる分注ヘッドと、
前記分注ヘッドに着脱自在に装着される使い捨てのノズルチップと、
前記分注機に設けられ、前記分注ヘッドをもって上下左右に移動するＸＹＺ機構を有し、
子検体容器への検体分注が子検体容器を交換しながら行われる検体分注処理装置において、
前記子検体容器に検体の分注ができない分注停止時間が一定時間経過したら前記ノズルチップを前記分注ヘッドから離脱することを特徴とする検体分注処理装置。
【請求項６】
請求項５記載の検体分注処理装置において、
前記一定時間が経過したら、前記ＸＹＺ機構は前記分注ヘッドをノズルチップ廃棄位置に運んで前記ノズルチップが外されることを特徴とする検体分注処理装置。
【請求項７】
検体が入る親検体容器と、
前記親検体容器より吸引した検体を分注する分注機と、
前記分注機に設けられる分注ヘッドと、
前記分注ヘッドに着脱自在に装着される使い捨てのノズルチップと、
前記分注機に設けられ、前記分注ヘッドをもって上下左右に移動するＸＹＺ機構を有し、
子検体容器への検体分注が子検体容器を交換しながら行なわれる検体分注処理装置において、
前記子検体容器に検体の分注ができない分注停止時間が一定時間経過した後に、前記ＸＹＺ機構で前記分注ヘッドを前記親検体容器のところに移動させ、前記ノズルチップに残る検体を前記親検体容器に戻してから前記分注ヘッドより前記ノズルチップを離脱することを特徴とする検体分注処理装置。
【発明の詳細な説明】
【技術分野】
【０００１】
本発明は、検体分注処理装置に係り、特に、使い捨てのノズルチップを使用して検体を分注し、分注後の検体を搬送ラインに搬出し、搬送する検体分注処理装置に関する。
【背景技術】
【０００２】
検体分注処理装置は、例えば、特許文献１に示される。
【０００３】
血液や尿などの検体を一方の容器から他方の容器に、分析・検査に必要な量だけ自動的に取り分けるため、検体ごとに使い捨てのノズルチップを用いて検体を一旦ノズルチップ内に吸い込んだ後、他の容器に小分け吐出する分注処理装置が用いられる。
【０００４】
吐出先に用いられる子検体容器は自動で交換が行なわれるが、分注機の下流で停滞が発生し、子検体容器の交換に分注処理装置からの搬出先が搬入不可である場合には、子検体容器の交換ができなく、分注が一次的に停止してしまう。
【０００５】
【特許文献１】特開平１１−３０４８１４号公報
【発明の開示】
【発明が解決しようとする課題】
【０００６】
検体の分注処理動作は、使い捨てのノズルチップにより親検体容器より検体を吸引し、複数の子検体容器へ指定量の検体を吐出する動作を行なう。分注を行う子検体容器が多数ある場合、検体吸引から検体吐出を行う一連の動作の間に子検体容器を交換する必要がある。
【０００７】
検体吐出先に用いられる子検体容器は自動で交換が行なわれるが、分注機の下流で停滞が発生し、子検体容器の交換に分注処理装置からの搬出先が搬入不可である場合には、子検体容器の交換ができなく、分注が一次的に停止してしまう。
【０００８】
このような子検体容器の交換が行なわれない分注停止の状態では、ノズルチップ内に残った検体がノズルチップより滴下し分注装置内が汚染される。
【０００９】
また、ノズルチップ内の検体が乾燥により濃縮、固着した場合、検体の吸引を再開した場合に吸引つまりを発生させる要因ともなる。
【００１０】
本発明は上記の問題に対処し、ノズルチップからの検体滴下による分注装置内の汚染、ノズルチップ内の検体の乾燥濃縮による吸引異常を防止することを目的とする。
【課題を解決するための手段】
【００１１】
本発明は、吸引した検体を分注する分注機と、前記分注機に設けられる分注ヘッドと、前記分注ヘッドに着脱自在に装着される使い捨てのノズルチップを有し、前記ノズルチップに吸い込んだ検体の子検体容器への分注が子検体容器を交換しながら行なわれる検体分注処理装置において、前記子検体容器に検体の分注ができない分注停止時間が一定時間経過したら前記ノズルチップを前記分注ヘッドから離脱することを特徴とする。
【００１２】
更に具体的に述べると、本発明は、子検体容器の交換を行う際に、ノズルチップを装着したままの分注ヘッドの分注が停止している分注停止時間を計測し、その時間が一定時間以上となった場合、ノズルチップを分注ヘッドより自動的に廃棄させる動作を行い、子検体容器の交換が完了した時、新しいノズルチップを再度分注ヘッドへ装着し分注処理を再開する事により、上記問題の解決が実現できる。
【発明の効果】
【００１３】
本発明によれば、子検体容器の交換を待つ分注停止時間を計測し、予め設定した一定時間が経過したらノズルチップを廃棄する事により、ノズルチップ内に残った検体の滴下、検体の乾燥濃縮や詰まり等を防止し、分析装置における分析結果への影響や分注処理装置内の汚染を防止することができる。
【発明を実施するための最良の形態】
【００１４】
本発明の実施例を図１から図３に基づいて説明する。
【００１５】
図１は制御系の構成の一例を示す図である。
【００１６】
分注ヘッド１は、複数個（図１では＃１、＃２）がＸＹＺ移動機構３００に取り付けられ、血清や尿等の検体の分注動作を行う。
【００１７】
分注機は、分注ヘッド１をもって上下左右に移動するＸＹＺ機構３００、ＸＹＺ機構３００を駆動する機構ドライバ３１０を含む。
【００１８】
ここで分注ヘッド１は、主に、ノズルチップ２を装着するノズル基部と検体を吸引吐出するための真空吸引部及び、吸引・吐出時の圧力変化を電気信号に変換する圧力検出器、信号処理回路等から構成され、ノズルチップ２の先端孔から検体を吸引・吐出する。
【００１９】
信号処理回路は図示していないが、マイクロプロセッサ等により、分注ヘッド１内に取り付けた圧力検出器の出力信号を処理し、分注処理、異常検出、処理等が行われる。
【００２０】
ホストＣＰＵ（Ｃｅｎｔｒａｌ  Ｐｒｏｃｅｓｓｉｎｇ  Ｕｎｉｔ）３２０と搬送路制御ＣＰＵ３３０、分注制御ＣＰＵ３４０はローカル・データ通信回線で結合されている。搬送路制御ＣＰＵは検体ラックの搬送制御を行う。
【００２１】
分注制御ＣＰＵ３４０は、ラックＩＤ（Ｉｄｅｎｔｉｔｙ：識別符号）によるホストＣＰＵ３２０への分注指示情報問合せ及び分注結果情報の送信、分注機のＸＹＺ機構３００や分注ヘッド１、分注機内の検体搬送機構を制御して、一連の分注動作を行う。
【００２２】
親検体を入れた親検体容器３は検体容器搬送用ラック１０に１本または複数本搭載されてラック単位で搬送される。
【００２３】
図２は、検体分注処理装置の検体ラック搬送動作の概要を説明するワークエリアを示している。
【００２４】
外部搬送ライン１０１で搬送されてきた親検体容器を搭載した親検体ラック１０ａ、１０ｂ、１０ｃは、搬入機構１０２により分注機内に搬入され親ライン１０３で分注位置まで搬送される。
【００２５】
このとき、ラックに貼付してあるバーコードをバーコード読取り装置２０で読み取り、ラックＩＤからラックの判別を行う。分注先の子検体容器を搭載したラックは図示していないラック供給機構から搬送ライン１０５、１０６、１０７、１０８に搬入され、各分注位置に搬送される。
【００２６】
分注ヘッド１はノズルチップ２を搭載したチップラック１０９ａ、１０９ｂ、１０９ｃからノズルチップ２を装着し、吸引・分注動作を行う。分注の終了した検体ラックは搬出機構１０４により外部搬送ライン１０１に搬出され、次の処理へと搬送される。
【００２７】
図３は、分注制御ＣＰＵ３４０の処理フローの実施例の概要を説明する図である。
【００２８】
分注制御ＣＰＵ３４０は、親検体ラック１０ａ、１０ｂ、１０ｃが搬入位置までくると、搬送路制御ＣＰＵ３３０と通信を行い、分注に関する指示情報を取得し、親検体ラック１０ａ、１０ｂ、１０ｃを分注機内に搬入する。
【００２９】
親検体ラック１０ａ、１０ｂ、１０ｃのＩＤをバーコード等から読取りホストＣＰＵへ送信し、分注指示情報を受け取る。
【００３０】
分注ヘッド１にノズルチップ２が装着されていない場合はノズルチップ２の装着動作を行う。分注に関する指示情報より親検体容器３から検体を吸引する。分析装置用の子検体容器へ指示情報による検体量を吐出する。
【００３１】
全子検体容器へ検体を吐出し終わったかを判定し子検体容器を交換する。子検体容器の交換に要した時間を計測し一定時間経過しても子検体容器が交換完了しなかった場合は、分注ヘッド１へ装着しているノズルチップ３を廃棄する。
【００３２】
時間計測のカウンタのリセットは各分注動作の始めや、時間計測開始前に行なえば良い。子検体容器交換完了後、分注に関する指示情報分注完了の判定を行い、全分注指示が完了していない場合には、新しいノズルチップ３を分注ヘッド１に装着後に検体を吸引する。
【００３３】
指示情報分注完了の場合はホストＣＰＵ３２０への分注結果情報を送信する。搬送路制御ＣＰＵ３３０との通信を行い親検体容器３のセットされた親検体ラック１０ａ、１０ｂ、１０ｃと子検体容器のセットされた子検体ラックを分注機外の搬送ライン１０５、１０６、１０７、１０８に搬出する。
【００３４】
時間計測は、子検体容器の交換に要した時間、または、ノズルチップを装着している時間、最後の吸引、吐出終了からの経過時間等のいずれかを計測すればよい。この経過時間中は、いずれも、検体の分注ができない分注停止状態にある。この経過時間が一定時間を越えたらノズルチップの分注ヘッドより離脱する。
【００３５】
なお、予め決める一定時間は、ホストＣＰＵから、または分注制御ＣＰＵから設定できるようにする。
【００３６】
また、ノズルチップ廃棄の前に、ノズルチップ内に残留している検体を元の親検体容器へ吐き戻す動作を行ってもよい。その場合、空気吐出の可能性がある為、吸引終了時のノズルチップ先端位置からではなく、親検体の液面位置より上の位置で吐き戻す。
【００３７】
その後、ノズルチップを廃棄する。このようにする事で検体の無駄を無くす事ができる。
【００３８】
上記の実施例は、多数の子検体容器が搭載された子検体ラックの交換が滞る分注停止について述べたが、個々の子検体容器の場合でも分注停止はあり得るので本発明は適用できる。
【図面の簡単な説明】
【００３９】
【図１】本発明の実施例にかかわるもので、制御系の構成を示す図である。
【図２】本発明の実施例にかかわるもので、検体分注処理装置の検体ラック搬送動作の概要を説明するワークエリアを示す図である。
【図３】本発明の実施例にかかわるもので、分注処理途中でのノズルチップ廃棄フローを示す図である。
【符号の説明】
【００４０】
１…分注ヘッド、２…ノズルチップ、３…親検体容器、４…親検体、５…分離剤、６、７…子検体容器、１０…検体容器搬送用ラック、１０１…搬送ライン。
【図１】
2008164456.tif 000003
【図２】
2008164456.tif 000004
【図３】
2008164456.tif 000005